(57)【要約】【課題】画像が好ましい露出条件になっているかを画像表示手段で本撮影前に確認できる撮像装置を提供する。【解決手段】本撮影の前に照明手段を発光させるプリ発光手段を用いて撮影されたプリ発光画像（ステップ１０２〜１０７）とプリ発光手段を用いずに撮影された定常光画像（ステップ１１０，１１１）の差分を抽出する画像差分抽出手段(ステップ１１２)と、画像差分抽出手段により抽出された差分画像と定常光画像とを合成する画像合成手段（ステップ１１４，１１５）と、画像合成手段により出力された合成画像を表示する画像表示手段（ステップ１１６）とを有する。【選択図】図１
2006303967.tif 000002
【特許請求の範囲】
【請求項１】
画像を出力する撮像素子と、
本撮影の前に照明手段を発光させるプリ発光手段を用いて撮影されたプリ発光画像と前記プリ発光手段を用いずに撮影された定常光画像の差分を抽出する画像差分抽出手段と、
前記画像差分抽出手段により抽出された差分画像と前記定常光画像とを合成する画像合成手段と、
前記画像合成手段により出力された合成画像を表示する画像表示手段と、
を有することを特徴とする撮像装置。
【請求項２】
前記画像合成手段により合成される前記定常光画像と前記差分画像のそれぞれの明るさを任意の割合で調整する調整手段を有することを特徴とする請求項1に記載の撮像装置。
【請求項３】
前記調整手段は、本撮影時の前記照明手段の発光量の増減を調整する発光量調整手段であり、
前記画像表示手段により合成画像表示中に、前記発光量調整手段により本発光量の増減に伴いプリ発光差分画像の明るさが増減されると、前記画像合成手段が前記プリ発光差分画像と前記定常光画像を合成し、前記画像表示手段がその合成画像を表示することを特徴とする請求項２に記載の撮像装置。
【請求項４】
前記調整手段は、本撮影時のシャッタスピードの増減を調整するシャッタスピード調整手段であり、
前記画像表示手段により合成画像表示中に、前記シャッタスピード調整手段によりシャッタスピードの増減に伴い定常光画像の明るさが増減されると、前記画像合成手段が前記定常光画像と前記プリ発光差分画像とを合成し、前記画像表示手段がその合成画像を表示することを特徴とする請求項２に記載の撮像装置。
【請求項５】
前記調整手段は、本撮影時の絞り値、ＩＳＯ感度の少なくとも一方を増減する手段であり、
前記画像表示手段により合成画像表示中に、前記調整手段により前記絞り値とＩＳＯ感度の少なくとも一方の増減に伴いプリ発光差分画像および定常光画像の明るさが増減されると、前記画像合成手段が前記定常光画像とプリ発光差分画像とを合成し、前記画像表示手段がその合成画像を表示することを特徴とする請求項２に記載の撮像装置。
【請求項６】
本撮影の前に照明手段を発光させるプリ発光手段を用いて撮影されたプリ発光画像と前記プリ発光手段を用いずに撮影された定常光画像の差分を抽出する画像差分抽出行程と、
前記画像差分抽出行程により抽出された差分画像と前記定常光画像とを合成する画像合成行程と、
前記画像合成行程により出力された合成画像を表示する画像表示行程と、
を備えることを特徴とする撮像装置の制御方法。
【発明の詳細な説明】
【技術分野】
【０００１】
本発明は、画像を表示する画像表示手段を有する撮像装置の制御に関する。
【背景技術】
【０００２】
近年、デジタル技術の発展等に伴い、撮影した画像情報を電子的に処理するデジタルカメラが普及してきている。
【０００３】
この種のデジタルカメラにおいては、撮影レンズを通過した被写体光束が固体撮像素子（ＣＣＤなど）に到達し、被写体像を電気信号に変換し映像信号として出力し、さらに写った撮影画像が画像処理回路内でさまざまな変換処理を施され、最後にメモリカードなどの記録媒体に画像ファイルとして保存されると同時に、デジタルカメラに内蔵の液晶モニタ（ＬＣＤ）に再生画像として静止画を表示する機能を有するものが一般的である。また、静止画のみならず、ライブ画像（動画）も液晶モニタ等で表示が可能で、ライブ画像を見ながら構図やＡＥ（自動露出）／ＡＦ（オートフォーカス）などの確認をすることができる（特許文献１）。
【０００４】
再生画像の表示目的には、撮影直後に撮影画像を確認する目的で表示されるクイックレビュー再生と、既に撮影済みの画像ファイルを選択的に表示するプレイバック再生がある。クイックレビュー再生では、撮影後上記画像処理を経たのち、通常の大きさで撮影画像を自動的にＬＣＤに表示するものが多い。プレイバック再生では、画像ファイルを次々に選択して再生する機能や、１画面に複数のサムネール画像を表示する機能、そしてある画像の一部領域を拡大して表示する機能を有するカメラが存在する（特許文献２）。
【０００５】
一方、内蔵ストロボまたは外部ストロボを利用可能なデジタルカメラが普及してきており、銀塩カメラと同様に、ＡＥロック（撮影前に任意のタイミングで測光を行って露出値を決めてしまい、実際の撮影時には、その時決めた露出値で撮影する機能）やＦＥロック（ＡＥロック動作時に露出値に加え撮影時のストロボ発光量も決定する機能）を備えたものも存在する（特許文献３）。ＡＥロック、ＦＥロック機能を使うと、あらかじめ所望の測光条件での露出値およびストロボ発光量を決定することができ、急激な明るさの変化のある撮影や主被写体が画面の端に存在する場合の撮影などにおいて、使用者にとって有益な機能となっている。
【特許文献１】特開２００３−０４３５５９号公報
【特許文献２】特開２００３−１４３４４４号公報
【特許文献３】特開２００２−２１８３１８号公報
【発明の開示】
【発明が解決しようとする課題】
【０００６】
ストロボを使った撮影時には、ＦＥロック機構を用いて本撮影前に発光量を決定したり、モデリング発光を行い反射光を目視にて確認して発光量を調整したりすることが可能である。ところが、従来のカメラ（銀塩、デジタル双方とも）では、ＦＥロックにて自動決定された発光量が適正であるかの確認や補正、画面内に複数ある被写体に意図した通りのストロボ効果があるかどうかを確認する手段はない。
【０００７】
（発明の目的）
本発明の目的は、画像が好ましい露出条件になっているかを画像表示手段で本撮影前に確認することのできる撮像装置および該撮像装置の制御方法を提供しようとするものである。
【課題を解決するための手段】
【０００８】
上記目的を達成するために、本発明は、画像を出力する撮像素子と、本撮影の前に照明手段を発光させるプリ発光手段を用いて撮影されたプリ発光画像と前記プリ発光手段を用いずに撮影された定常光画像の差分を抽出する画像差分抽出手段と、前記画像差分抽出手段により抽出された差分画像と前記定常光画像とを合成する画像合成手段と、前記画像合成手段により出力された合成画像を表示する画像表示手段とを有する撮像装置とするものである。
【０００９】
また、上記目的を達成するために、本発明は、本撮影の前に照明手段を発光させるプリ発光手段を用いて撮影されたプリ発光画像と前記プリ発光手段を用いずに撮影された定常光画像の差分を抽出する画像差分抽出行程と、前記画像差分抽出行程により抽出された差分画像と前記定常光画像とを合成する画像合成行程と、前記画像合成行程により出力された合成画像を表示する画像表示行程とを備える撮像装置の制御方法とするものである。
【発明の効果】
【００１０】
本発明によれば、画像が好ましい露出条件になっているかを表示手段で本撮影前に確認することができる撮像装置および該撮像装置の制御方法を提供できるものである。
【発明を実施するための最良の形態】
【００１１】
本発明を実施するための最良の形態は、以下に記載の実施例１および実施例２に示す通りである。
【実施例１】
【００１２】
図２は本発明の実施例1に係わる撮像装置であるところのデジタルカメラの回路構成を示すブロック図である。
【００１３】
同図において、１００はＦＥロック機能を有したデジタルカメラであり、以下の各部材により構成される。
【００１４】
１０は撮影レンズ、１２は絞り機能を備えるシャッタ、１４は光学像を電気信号に変換して映像信号として画像を出力する撮像素子、１６は撮像素子１４からのアナログ信号をデジタル信号に変換するＡ／Ｄ変換器であり、撮像素子１４で捉えた像の明るさに応じて適切なゲインを設定することが可能である。１８は撮像素子１４、Ａ／Ｄ変換器１６およびＤ／Ａ変換器２６にクロック信号や制御信号を供給するタイミング発生回路であり、後述のメモリ制御回路２２及びシステム制御回路５０により制御される。
【００１５】
２０は画像処理回路であり、Ａ／Ｄ変換器１６からの画像データ或いはメモリ制御回路２２からのデータに対して所定の画素補間処理や色変換処理を行う。また、画像処理回路２０は撮像した画像データを用いて所定の演算処理を行い、該画像処理回路２０にて得られた演算結果に基づいてシステム制御回路５０が露光制御回路４０、測距制御回路４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０は、撮像した画像データを用いて所定の演算処理を行い、得られた演算結果（評価値）に基づいてＴＴＬ方式のＡＷＢ（オートホワイトバランス）処理も行っている。なお、ＡＥ処理、ＡＦ処理で必要となる評価値は撮像素子１４から得られた画像データを基に算出する手法と、不図示の専用のＡＥセンサ、ＡＦセンサにより取得する手法がある。
【００１６】
２２はメモリ制御回路であり、Ａ／Ｄ変換器１６、タイミング発生回路１８、画像処理回路２０や、後述する、画像表示メモリ２４、Ｄ／Ａ変換器２６、メモリ３０、画像合成回路３１、圧縮・伸長回路３２、画像リサイズ回路３４、および、画像差分抽出回路３５を制御する。
【００１７】
Ａ／Ｄ変換器１６からの画像データが画像処理回路２０、メモリ制御回路２２を介して、或いはＡ／Ｄ変換器１６のデータが直接メモリ制御回路２２を介して、後述の画像表示メモリ２４或いはメモリ３０に書き込まれる。
【００１８】
２４は画像表示メモリ、２６はＤ／Ａ変換器、２８はＴＦＴ  ＬＣＤ等から成る画像表示装置であり、画像表示メモリ２４に書き込まれた表示用の画像データはＤ／Ａ変換器２６を介して画像表示装置２８により表示される。画像表示装置２８を用いて、撮像した画像データを逐次表示すれば、電子ビューファインダー（ＥＶＦ）機能を実現することが可能である。さらに、後述の記録媒体２００に保存されている画像ファイルを読み出して、画像表示装置２８に表示（再生表示）したり、撮影直後に撮影した画像データを画像表示装置２８を用いて自動再生表示するクイックレビューなどを行うことが可能である。この画像表示装置２８は撮影した画像のみならず、画像の輝度のヒストグラムなど詳細を示す画像情報表示などが可能であり、ユーザの選択によりクイックレビュー表示中、再生表示中、そしてＡＥ／ＦＥロック時のプレビュー表示中に画像情報表示を行う、行わない、をそれぞれ任意に設定可能である。また、画像表示装置２８は、システム制御回路５０の指示により任意に表示をＯＮ／ＯＦＦすることが可能であり、表示をＯＦＦにした場合にはデジタルカメラ１００の電力消費を大幅に低減することが出来る。
【００１９】
３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みを該メモリ３０に対して行うことが可能となる。また、メモリ３０はシステム制御回路５０の作業領域としても使用することが可能である。３１は二つの画像データを合成して一つの画像を作成する画像合成回路であり、メモリ３０に格納された二つの画像を読み込んで画像の合成処理を行い、処理結果のデータをメモリ３０に書き込む。
【００２０】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。３４は画像データを拡大・縮小する画像リサイズ回路であり、メモリ３０に格納された画像を読み込んで拡大処理或いは縮小処理を行い、処理を終えたデータをメモリ３０に書き込む。３５は二つの画像データの差分を抽出する画像差分抽出回路であり、メモリ３０に格納された画像を読み込んで画像の減算処理を行い、処理を終えたデータをメモリ３０に書き込む。ストロボ撮影した画像から定常光で撮影した画像を減算することにより、擬似的にストロボの反射光のみを取り出すことができる。
【００２１】
４０は絞り機能を備えるシャッタ１２を制御する露光制御回路であり、フラッシュ４８と連携することによりフラッシュ調光機能も有するものである。また、外部ストロボＩ／Ｆ５８を備える場合は外部ストロボコネクタ５９およびコネクタ２１１を介して、外部ストロボユニット２１２を接続する事が可能である。外部ストロボユニット２１２を接続した場合は、フラッシュ４８の代わりにフラッシュ調光機能を実現することが可能となる。
【００２２】
４２は撮影レンズ１０のフォーカシングを制御する測距制御回路、４４は撮影レンズ１０のズーミングを制御するズーム制御回路、４６はバリアである保護部材１１の動作を制御するバリア制御回路である。４８はフラッシュであり、ＡＦ補助光の投光機能、フラッシュ調光機能も有する。
【００２３】
露光制御回路４０、測距制御回路４２はＴＴＬ方式を用いて制御されており、撮像した画像データを画像処理回路２０によって演算された演算結果に基づき、後述するシステム制御回路５０が露光制御回路４０、測距制御回路４２に対して制御を行う。５０はデジタルカメラ１００全体を制御するシステム制御回路、５２はシステム制御回路５０の動作用の定数、変数、プログラム等を記憶するメモリである。
【００２４】
５４はシステム制御回路５０でのプログラムの実行に応じて、文字、画像、音声等を用いて動作状態やメッセージ等を表示する液晶表示器、スピーカー等の表示装置であり、デジタルカメラ１００の操作部近辺の視認し易い位置に単数或いは複数個所設置され、例えばＬＣＤやＬＥＤ、発音素子等の組み合わせにより構成されている。また、表示装置５４は、その一部の機能が光学ファインダ２９内に設置されている。表示装置５４の表示内容のうち、ＬＣＤ等に表示するものとしては、例えば、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示、記録媒体に保存されている画像ファイルの表示、記録媒体に保存されている画像ファイル名のリスト表示、外部コンピュータとの接続状態を示す表示、外部デジタルカメラとの接続状態を示す表示、外部コンピュータもしくはデジタルカメラとの画像ファイルなどのデータ送受信の状態を示す表示、等がある。
【００２５】
また、表示装置５４の表示内容のうち、光学ファインダ２９内に表示するものとしては、例えば、合焦表示、撮影準備完了表示、手振れ警告表示、フラッシュ充電表示、フラッシュ充電完了表示、シャッタスピード表示、絞り値表示、露出補正表示、記録媒体書き込み動作表示、等がある。さらに、表示装置５４の表示内容のうち、ＬＥＤ等により表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。更に、表示装置５４の表示内容のうち、ランプ等により表示するものとしては、例えば、セルフタイマ通知ランプ、等がある。このセルフタイマ通知ランプは、ＡＦ補助光と共用して用いても良い。
【００２６】
５６は電気的に消去・記録可能な不揮発性メモリであり、例えばＥＥＰＲＯＭ、フラッシュメモリ等が用いられる。
【００２７】
６０，６２，６４，７０及び７４は、システム制御回路５０の各種の動作指示を入力するための操作部材であり、スイッチやダイアル、タッチパネル、視線検知によるポインティング、音声認識装置等の単数或いは複数の組み合わせで構成される。以下に、これらの操作部材の具体的な説明を行う。
【００２８】
６０は電源スイッチ（メインスイッチ）であり、デジタルカメラ１００の電源オン、電源オフの各モードを切り換え設定することが出来る。また、デジタルカメラ１００に接続された各種付属装置の電源オン、電源オフの設定も合わせて切り換え設定することが出来る。６２（ＳＷ１）はシャッタスイッチであり、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４（ＳＷ２）はシャッタスイッチであり、不図示のシャッタボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００２９】
また、７０は各種ボタンやタッチパネル等からなる操作部であり、メニューボタン、セットボタン、マクロボタン、マルチ画面再生改ページボタン、フラッシュＯｎ／Ｏｆｆボタン、単写／連写／セルフタイマ切り換えボタン、メニュー移動＋（プラス）ボタン、メニュー移動−（マイナス）ボタン、再生画像移動＋（プラス）ボタン、再生画像−（マイナス）ボタン、撮影画質選択ボタン、日付／時間設定ボタン、画像表示ＯＮ／ＯＦＦボタン、圧縮モードスイッチ、クイックレビュー機能を設定するクイックレビュースイッチ、撮影及び或いは再生及び或いは通信を実行する際に各種機能の選択及び切り換えを設定する選択／切換スイッチ、撮影及び或いは再生及び或いは通信を実行する際に各種機能やユーザ設定、画像に対するプロパティ設定などの決定及び実行を行う決定／実行スイッチ等がある。
【００３０】
７１は、撮影モードにおいて、露出条件を固定する指示を与えるＡＥ／ＦＥロックスイッチである。７２は露出補正を行うスイッチであり、露出増加、減少を操作する２対のスイッチから成るものや、回転式のダイアルにて露出の増加、減少の操作を行うものなど幾つかのタイプが存在する。このスイッチ７２はＡＥ動作で決定される露出をあらかじめ補正しておく事が可能である。７３は、撮影条件をマニュアル補正する場合に、絞り値、シャッタスピード、ストロボ発光量、ＩＳＯ感度などの補正項目の切り換えを行うスイッチであり、スイッチ７２と組み合わせて撮影条件のマニュアル補正を行える。例えば、ＩＳＯ感度調整はスイッチ７３によりＩＳＯ感度が設定された状態でスイッチ７２を操作することにより実現可能となる。同様に、ストロボ発光量調整、シャッタスピード調整、絞り値調整を行うことができる。本実施例１の特徴的な機能であるＡＥ／ＦＥロック時のプレビュー状態において、スイッチ７３およびスイッチ７２を操作することにより、ロックで固定した露出条件に対して、絞りの補正、シャッタスピードの補正、ストロボ発光量の補正、ＩＳＯ感度の変更などを行うことが可能である。
【００３１】
また、スイッチ７３およびスイッチ７２を、ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは、撮像素子１４からの信号をそのままデジタル化して記録媒体に記録するＣＣＤＲＡＷモードを選択するための圧縮モードスイッチとして用いることもできる。ＪＰＥＧ圧縮のモードは、例えばノーマルモードとファインモードとエコノミーモードが用意されている。デジタルカメラ１００の利用者は、撮影した画像のデータサイズを重視する場合はノーマルモードまたはエコノミーモードを、撮影した画像の画質を重視する場合はファインモードを、それぞれ選択して撮影を行うことが出来る。ＪＰＥＧ圧縮のモードにおいては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、記録媒体２００に記録を行う。また、ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００に記録を行う。
【００３２】
７４はモードダイアルスイッチであり、自動撮影モード、撮影モード、パノラマ撮影モード、再生モード、マルチ画面再生・消去モード、ＰＣ接続モード、カメラ接続モード等の各機能モードを切り換え設定することが出来る。８０は電源制御回路であり、電池検出回路、ＤＣ−ＤＣコンバータ、通電するブロックを切り換えるスイッチ回路等により構成されていて、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。
【００３３】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００３４】
９０はメモリカードやハードディスク等の記録媒体とのインターフェース、９２はメモリカードやハードディスク等の後述の記録媒体２００と接続を行うコネクタである。
【００３５】
１１は、既に説明したように、デジタルカメラ１００のレンズ１０を含む撮像部を覆う事により、撮像部の汚れや破損を防止するバリアである保護部材である。２９は光学ファインダであり、画像表示装置２８による電子ファインダ機能を使用すること無しに、光学ファインダのみを用いて撮影を行うことが可能である。また、光学ファインダ２９内には、表示装置５４の一部の機能、例えば、合焦表示、手振れ警告表示、フラッシュ充電表示、シャッタスピード表示、絞り値表示、露出補正表示などが設置されている。
【００３６】
３３は通信部であり、ＲＳ２３２ＣやＵＳＢ（Ｕｎｉｖｅｒｓａｌ  Ｓｅｒｉａｌ  Ｂｕｓ）、ＩＥＥＥ１３９４、モデム、ＬＡＮ（Ｌｏｃａｌ  Ａｒｅａ  Ｎｅｔｗｏｒｋ）等の有線通信、ＩｒＤＡ（Ｉｎｆｒａｒｅｄ  Ｄａｔａ  Ａｓｓｏｃｉａｔｉｏｎ）などの赤外線通信、光通信等の各種通信機能を有する構成の何れかまたはそれらのうちの複数を備える構成でもよい。
【００３７】
２００はメモリカードやハードディスク等の記録媒体である。記録媒体２００は、半導体メモリや磁気ディスク等から構成される記録部２０２、デジタルカメラ１００とのインターフェース２０４、デジタルカメラ１００と接続を行うコネクタ２０６を備えている。また、記録媒体は現在利用可能な空き容量を取得することができるものとする。なお、記録媒体２００は本実施例ではデジタルカメラ１００に内蔵される構成として説明している。
【００３８】
次に、上記構成のデジタルカメラ１００の主要部分の動作について、図３および図１のフローチャートを用いて詳細に説明する。
【００３９】
図３（ａ）〜（ｃ）は、上記構成のデタルカメラ１００において、ＦＥロックを実行したときに撮影した定常光画像３０１と、プリ発光画像３０２、および、それらの差分から作成したプリ発光差分画像（ストロボ反射光被写体画像）３０３、の例を示している。
【００４０】
図３（ａ）の定常光画像３０１はストロボ発光しないで撮影される画像であり、図３（ｂ）のプリ発光画像３０２はＦＥロック操作でストロボ（フラッシュ４８もしくは外部ストロボユニット２１２）がプリ発光した時に撮影された画像である。図３（ａ）の定常光画像３０１の例は、定常光での背景（山、雲、太陽）および手前の人物像が撮影されているが、手前の人物像の露出が不足しており、暗くつぶれている様子を表現している。図３（ｂ）のプリ発光画像３０２の例は、ＦＥロックにおけるストロボプリ発光時に撮影された画像であり、手前の人物像にプリ発光のストロボ光が当たっている様子を表現している。
【００４１】
また、図３（ｃ）は、図３（ｂ）のプリ発光画像３０２から図３（ａ）の定常光画像３０１を差し引いた画像であり、輝度の変化した部分が抜き出されている。つまり、ストロボプリ発光の反射光が届いた被写体が抽出されている様子を表現している。背景画像に対して、図３（ｃ）の画像を上記のようにプリ発光差分画像３０３（ストロボ反射光被写体画像）と呼ぶ。このような手順でプリ発光差分画像を生成するので、プリ発光撮影と定常光撮影の露出条件（Ａｖ、Ｔｖ、ＩＳＯ感度）は同一であることが望ましい。異なる露出条件で該２画像を撮影した場合は、差分を抽出する前に露出条件が同等になるような補正をどちらかの画像に施す必要がある。
【００４２】
図１は、ＦＥロック動作を開始してから、仮の撮影、プレビュー、本撮影までの流れの一例を示したフローチャートである。なお、本フローチャートは前提条件としてデジタルカメラ１００が撮影モードであり、ストロボを使用する設定がなされている状態で、液晶表示装置２８にライブビュー表示がなされている状態を仮定する。また、ストロボはフラッシュ４８もしくは外部ストロボユニット２１２のいずれかが利用可能な状態であり、以降、フローチャートの説明で述べるストロボへの操作はフラッシュ４８もしくは外部ストロボユニット２１２のうち、選択されている装置に対する操作を行うものである。この状態でＡＥ／ＦＥロックスイッチ７１を操作することにより、ＦＥロック動作が開始される。
【００４３】
まず、ステップ１０１にて、ライブビュー表示を停止し、次のステップ１０２にて、プリ露光時の露出条件の設定を行う。このステップ１０２では、プリ発光を行うことを前提とした露出条件（絞り値、シャッタスピード、ＩＳＯ感度など）を設定する。次のステップ１０３では、プリ発光時のストロボの発光量の設定を行う。そして、ステップ１０４にて、プリ発光用のストロボ充電が完了するまで待機する。
【００４４】
その後、充電が完了したらステップ１０４からステップ１０５へ進み、プリ露光を開始する。この処理は通常の撮影と同様に露光を開始した状態で次のステップ１０６にて、ストロボのプリ発光を行う。そして、ストロボのプリ発光完了後に露光を終了し、次のステップ１０７にて、露光データの読み出しを行う。このステップ１０５〜１０７がプリ発光画像の撮影を行う部分である。
【００４５】
次のステップ１０８では、読み出した露光データからオーバー露出などを検出した場合は露出条件が不適切であると判定し、ステップ１０９に進む。適正だった場合はステップ１１０に進む。ステップ１０９へ進むと、適正露出が得られるように露出条件を補正し、ステップ１０３〜１０７のプリ発光画像の撮影を再度行う。従って、本手法に基づくＦＥロック動作ではプリ発光を数回行うことがある。
【００４６】
上記ステップ１０８にて適正露出でのプリ露光が完了したと判定するとステップ１１０へ進み、露出条件を変更せずに定常光露光を実行する。そして、次のステップ１１１にて、露光データを読み出す。このステップ１１０〜１１１が定常光画像の撮影を行う部分である。
【００４７】
その後はステップ１１２へ進み、画像差分抽出を行う差分抽出回路３５を使って、定常光画像３０１とプリ露光画像３０２からプリ発光差分画像３０３を作成する。そして、次のステップ１１３にて、読み出した露光データから積分などの処理を行い、露出制御に必要となる評価値を算出し、上記ステップ１１０で計測した定常光を加味して、適正露光となるような、本露光時のストロボ発光（以降、ストロボ本発光という）量の計算を行う。ここで計算されたストロボ本発光量はＦＥロック状態の間、記憶される。次のステップ１１４では、上記ステップ１１３で計算したストロボ本発光量の発光を行って撮影した場合と同等な明るさとなるように、上記ステップ１１２で作成したプリ発光差分画像３０３に対し明るさの補正処理を行う。
【００４８】
次のステップ１１５では、補正したプリ発光差分画像３０３と定常光画像３０１を画像合成回路３１にて合成し、表示用プレビュー画像データを生成する。そしてプレビュー用の画像を、続くステップ１１６にて、合成画像表示を行う画像表示装置２８にて表示する。
【００４９】
ここまでの動作で、ＦＥロック動作中のプリ発光時に仮に撮影した画像を用いて、本発光で撮影される（予定の）露出効果を事前にユーザに確認させることができる。
【００５０】
次のステップ１１７では、ＦＥロックのプレビュー状態を停止するイベントが発生するまで待機する。ＦＥロックのプレビュー状態を停止するイベントとは、画像表示Ｏｆｆスイッチ操作またはスイッチＳＷ１，ＳＷ２などのレリーズスイッチ操作、撮影モードの変更やメニュー操作など特定のユーザ操作に加え、一定時間経過したというイベントを含む。プレビュー停止イベントが発生した場合はステップ１１８へ進み、ライブビュー表示用の露光条件を設定し、続くステップ１１９にて、ライブビュー表示を再開する。このステップ１１９でＦＥロック時のプレビューは終了する。なお、ライブビューがＯｆｆの設定になっている場合は、ステップ１１８，１１９は画像表示装置２８のＯｆｆ（ブラックアウト）操作となる。
【００５１】
次のステップ１２０では、撮影開始イベントが発生しているかどうかの確認を行い、発生したイベントが撮影開始イベントでない場合はステップ１２２へ進み、ＦＥロック解除イベントかどうかを判定し、そうであればＦＥロック動作を終了する。ＦＥロック解除イベントとは、撮影モードの変更やメニュー操作などの特定のユーザ操作に加え、一定時間経過したというイベントを含む。ＦＥロック解除イベントでない場合は、ＦＥロック状態を保持し、ステップ１２０に戻る。
【００５２】
上記ステップ１２０にてレリーズスイッチ６４の操作（ＳＷ２の操作）などが行われていた場合はステップ１２１へ進み、ストロボに対して、上記ステップ１１３で計算した、本露光時のストロボ本発光量を設定し、充電を開始する。そして、次のステップ１２３にて、ストロボ充電完了するまで待機し、完了した場合はステップ１２４へ進み、ライブビュー表示の停止を行い、続くステップ１２５にて、本露光時の露出条件の設定を行う。
【００５３】
次のステップ１２６では、本露光を開始（撮影開始）し、続くステップ１２７にて、ストロボ本発光を行う。露光完了後はステップ１２８へ進み、露光データの読み出しを行い、続いてライブビューを再開するためにステップ１２９にて、ライブビュー表示用露光条件設定を行い、次のステップ１３０にて、ライブビュー表示を開始する。そして、次のステップ１３１にて、上記ステップ１２８で読み出した露光データを画像処理し、撮影画像としてメモリ等に記録する。なお、例えば、ステップ１３１の撮影画像の処理、保存の動作とステップ１２９，１３０の処理などは、必ずしもこのフローの順序で行う必要は無く、可能であれば平行動作を行う場合もある。
【００５４】
なお、本発明における撮影画像の明るさの変更においては、出力装置固有の特性を考慮して適切に補正（ガンマ補正）を行う。
【００５５】
以上のように、ＦＥロック時におけるプリ発光にて仮の撮影を行い、本露光で撮影される予定の画像を作成しプレビュー表示することにより、露出効果を事前に確認することが可能となる。
【００５６】
詳しくは、上記実施例１によれば、ＦＥロック時に実際に静止画撮影を行い、その様子を静止画としてユーザにプレビュー表示するようにしているので、被写体が好ましい露出条件（調光条件も含む）になっているかを画像表示装置２８で本撮影の前に事前に確認可能にしている。
【実施例２】
【００５７】
次に、本発明の実施例２に係わるデジタルカメラの主要部分の動作について、図４のフローチャートに従って説明する。なお、デジタルカメラの回路構成は、上記実施例１に示した図２と同様である。
【００５８】
図４は、ＦＥロック時のプレビュー動作を開始してから、ユーザの指示によりストロボ発光量、絞り値、シャッタスピード、ＩＳＯ感度などの撮影条件を変更する流れの一例を示したフローチャートである。なお、ＦＥロック動作を開始し、プリ露光を行ってプレビュー表示用画像露光データを取得する動作は、上記実施例１における図１のステップ１０１からステップ１１５までと同様であるのでその説明は省略し、それ以降についての違いを示したものである。
【００５９】
図４のステップ４０１では、前ステップ（図１のステップ１１５に相当）で作成したプレビュー表示用画像データを画像表示装置２８に表示する。そして、次のステップ４０２にて、前ステップまでに決定した本露光時のストロボ本発光量と露光条件の再設定を行う。続くステップ４０３では、プレビュー表示を停止するイベントが発生したかの確認を行い、発生していなければステップ４０４へ進む。ステップ４０４では、イベントが撮影条件変更イベントかどうかの確認を行い、そうでなければステップ４０３に戻り、繰り返しイベントを待つ。
【００６０】
一方、撮影条件変更イベントが発生するとステップ４０５へ進み、変更内容により分岐を行う。ここで、変更イベントがストロボ発光量の変更イベントであった場合はステップ４０５からステップ４０６へ進み、ＦＥロック動作で決定されたストロボ本発光量に対し、ストロボ発光量調整（スイッチ７２，７３により行う）により発光量の設定値を増加または減少させ、さらに新しい設定値にあわせてプリ発光差分画像３０３の明るさを補正する。つまり、ストロボ発光量の変化はプリ発光差分画像３０３のみに影響を与える。
【００６１】
また、変更イベントが絞り値の変更イベントであった場合はステップ４０５からステップ４０７へ進み、事前に決定された絞りの設定値を絞り値調整（スイッチ７２，７３により行う）により増加または減少させ、さらに新しい設定値にあわせてプリ発光差分画像３０３の明るさを補正する。そして、次のステップ４０９にて、新しい設定値にあわせて定常光画像３０１の明るさを補正する。つまり、絞り値の変化は、プリ発光差分画像３０３と定常光画像３０１の双方に影響を与える。
【００６２】
また、変更イベントがシャッタスピードの変更イベントであった場合はステップ４０５からステップ４１４へ進み、事前に決定されたシャッタスピードの設定値をシャッタスピード調整（スイッチ７２，７３により行う）により増加または減少させ、さらに新しい設定値にあわせて定常光画像３０１の明るさを補正する。つまり、シャッタスピードの変化は、定常光画像３０１のみに影響を与える。
【００６３】
また、変更イベントがＩＳＯ感度変更イベントであった場合はステップ４０５からステップ４０８へ進み、事前に設定されていたＩＳＯ感度をＩＳＯ感度調整（スイッチ７２，７３により行う）により増加または減少させ、さらに新しい設定値にあわせてプリ発光差分画像３０３の明るさを補正する。そして、次のステップ４１０にて、新しい設定値にあわせて定常光画像３０１の明るさを補正する。つまり、ＩＳＯ感度の変化は、プリ発光差分画像３０３と定常光画像３０１の双方に影響を与える。
【００６４】
上記のようにユーザの指示により撮影条件の変更が行われ、それに従って補正した定常光画像３０１およびプリ発光差分画像３０３は次のステップ４１１にて、画像合成回路３１により足し合わされて表示用プレビュー画像データが生成される。生成された画像データは、ステップ４０１にて更新され、表示される。
【００６５】
その後、ステップ４０２を介してステップ４０３にてプレビュー停止イベントが発生した場合は、ステップ４１２へ進み、ライブビュー表示用の露光条件を設定して、ステップ４１３でライブビュー表示を再開し、ＦＥロックのプレビュー状態を終了する。
【００６６】
上記実施例２のように、プリ露光で撮影した画像を基にして、ユーザの指示で変更した撮影条件で撮影した場合の露出状態を模擬し、あたかも変更した撮影条件で撮影を行ったかのごとく明るさを補正して表示するようにしているので、露出条件（露出値および調光値）の補正作業を容易に行うことができる。
【００６７】
なお、本実施例２で示した撮影条件は一例であり、これらの条件に限るものではない。例えば、複数のストロボ装置を利用する多灯ストロボシステムにおいて、それぞれの発光比を変更する例などが考えられる。
【００６８】
以上の実施例１および実施例２によれば、ＦＥロック時に実際に静止画撮影を行い、その様子を静止画としてユーザにプレビュー表示することにより、被写体が好ましい露出条件になっているかを画像表示装置で確認可能とすることができる。さらに、その結果よりユーザによる撮影条件の変更を可能とし、変更した条件に合わせてプレビュー表示も変更することにより、露出条件（露出値および調光値）の補正作業を容易なデジタルカメラとすることができる。
【図面の簡単な説明】
【００６９】
【図１】本発明の第１実施例に係わるデジタルカメラにおいてＦＥロック動作とプレビュー手順を示したフローチャートである。
【図２】本発明の実施例１に係わるデジタルカメラの回路構成を示すブロック図である。
【図３】本発明の実施例１においてＦＥロック動作時の定常光画像とプリ発光画像とそれらの差分から作成したプリ発光差分画像の例を示した図である。
【図４】本発明の実施例２に係わるデジタルカメラにおいてＦＥロックのプレビュー動作中の撮影条件補正手順を示したフローチャートである。
【符号の説明】
【００７０】
１０        撮影レンズ
１４        撮像素子
２０        画像処理回路
２２        メモリ制御回路
２４        画像表示メモリ
２８        画像表示装置
３０        メモリ
３１        画像合成回路
３５        画像差分抽出回路
４０        露光制御回路
４８        フラッシュ
５０        システム制御回路
５２        メモリ
５４        表示部
７０        操作部
７１        ＡＥ／ＦＥロックスイッチ
７２，７３  スイッチ
２００      記録媒体
２１２      外部ストロボユニット
【図１】
2006303967.tif 000003
【図２】
2006303967.tif 000004
【図３】
2006303967.tif 000005
【図４】
2006303967.tif 000006